(57)【要約】【課題】天上埋め込み型空気調和機において、更にファンモータの冷却作用を促進させ、モータ効率を向上することを目的とするものである。【解決手段】天井内に埋設された空気調和機であって、中央に吸い込み口を有しその周囲に吹き出し口を有しこれら前記吸い込み口と前記吹き出し口とを結ぶ空気通路に前記吹き出し口を臨ませて上下に配置されたファンモータおよびターボファンからなる送風機と前記ターボファンの周囲に熱交換器とを設けてなるものにおいて、前記ターボファンはファンモータ周辺側のハブ面に複数の羽根を設けたことを特徴とするものである。【選択図】図１
2005098570.tif 000002
【特許請求の範囲】
【請求項１】
天井内に埋設された空気調和機であって、前面の中央に吸い込み口を有しその周囲に吹き出し口を有し、これら前記吸い込み口と前記吹き出し口とを結ぶ空気通路に前記吹き出し口を臨ませて上下に配置されたファンモータおよびターボファンからなる送風機と前記ターボファンの周囲に熱交換器とを設けてなるものにおいて、前記ターボファンは前記ファンモータ周辺側のハブ面に複数の羽根を設けたことを特徴とする空気調和機。
【請求項２】
前記ターボファンの前記ファンモータ周辺側の前記ハブ面に設けた複数の羽根はターボファンの主板と一体成形であることを特徴とする請求項１記載の空気調和機。
【請求項３】
前記ターボファンの前記ファンモータ周辺側の前記ハブ面に設けた複数の羽根を曲面状に形成したことを特徴とする請求項１記載の空気調和機。
【請求項４】
前記ターボファンの前記ファンモータ周辺側の前記ハブ面に設けた複数の羽根の端面をのこぎり状に形成したことを特徴とする請求項１記載の空気調和機。
【請求項５】
前記ターボファンはハブに形成されている複数の排熱口と前記ファンモータ側の前記ハブ面に設けられた前期羽根の位置が軸方向で一致していることを特徴とする請求項１記載の空気調和機。
【発明の詳細な説明】
【技術分野】
【０００１】
本発明は、天井埋め込み型空気調和機に係わり、特にファンモータ冷却用の空気を流すための空気通路の改良に関するものである。
【背景技術】
【０００２】
従来の天井埋め込み型空気調和機は例えば図２と図３とで示すように天井内に埋設されるケース本体１の底面開口部に、中央に吸い込み口３を有し、その周囲に吹き出し口４を有した化粧パネル２を装着し、これら吸い込み口３と吹き出し口とを結ぶ空気通路に同吹き出し口４を臨ませて上下に配置されたファンモータ６およびターボファン７からなる送風機５と熱交換器９とを設け、前記ターボファン７の上面８に前記ファンモータ６の発熱により温度上昇した空気を前記熱交換器９へ導くための排熱孔Ａを設けてなる構成であった（例えば特許文献１参照）。
【０００３】
また、別の従来例として図４に示すように、下方を開放した箱状の本体１内の天板２内側の略中央部に、ファンモータ３と、前記ファンモータ３により駆動されるターボファン４とを配置し、前記ファンモータ３および前記ターボファン４を囲繞して熱交換器５を配置し、前記熱交換器５の下面に接する露受皿６を上部に備え、中央部に前記ターボファン４に対向するベルマウス９からなる吸込口を備えるとともに、本体１との間に吹出口８を備えた構成でなるグリル７を、本体１下部に室内に面するように装着してなる天井埋込型空気調和機において、前記ファンモータ周縁の天板２に補助吸込口１２を穿設するとともに、該天板の補助吸込口１２周縁に導風板１６を設け、前記ターボファン４の上部に前記ファンモータ３を囲繞する複数の上部ブレード１３を設けた構成となっている（例えば特許文献２参照）。
【特許文献１】特開２０００−２２７２３１号公報
【特許文献２】特開平１１−２３７０７３号公報
【発明の開示】
【発明が解決しようとする課題】
【０００４】
しかしながら、従来の構成では、ファンモータ６の発熱による温度上昇分した空気の流れだけでファンモータ６を冷却するには不充分であるし、それによるファンモータ６の効率向上の効果もそれほど望めない。
【０００５】
また、記従来の構成についてはターボファン４に導風板１６を設けたことによってターボファン４の羽根面積が減少し、ターボファン４の効率が低下する可能性がある。またファンモータ３での発熱による温度上昇した空気は補助吸い込み口から導風板１６への流れとともに熱交換器５側へいくために、ファンモータ３の表面を流れる空気の流れが減少し、ファンモータ３の冷却作用も低下する恐れがあるという課題を有していた。
【０００６】
また、導風板１６を設けることによりその高さ分、本体１の高さ寸法が増加し、サイズが大きくなるという課題も有していた。
【０００７】
本発明は、このような従来の課題を解決するものであり、更にファンモータ３の冷却作用を促進させ、ファンモータ効率を向上する空気調和機を提供することを目的とする。
【課題を解決するための手段】
【０００８】
上記課題を解決するために本発明は、天井内に埋設された空気調和機であって、前面の中央に吸い込み口を、その周囲に吹き出し口を有し、これら前記吸い込み口と前記吹き出
し口とを結ぶ空気通路に前記吹き出し口を臨ませて上下に配置された前記ファンモータおよび前記ターボファンからなる送風機と前記ターボファンの周囲に熱交換器とを設けてなるものにおいて、前記ターボファンは前記ファンモータ周辺側のハブ面に複数の羽根を設けたことを特徴とする。
【０００９】
また、前記ターボファンの前記ファンモータ周辺側の前記ハブ面に設けた複数の羽根は前記ターボファンの主板と一体成形であることを特徴とする。
【００１０】
また、前記ターボファンの前記ファンモータ周辺側の前記ハブ面に設けた複数の羽根を曲面状に形成したことを特徴とする。
【００１１】
また、前記ターボファンの前記ファンモータ周辺側の前記ハブ面に設けた複数の羽根の端面をのこぎり状に形成したことを特徴とする。
【００１２】
また、前記ターボファンはハブに形成されている複数の排熱口と前記ファンモータ側の前記ハブ面に設けられた前期羽根の位置が軸方向で一致していることを特徴とする。
【００１３】
ターボファンにおける前記ファンモータ側のハブに設けられた羽根によって、強制的に前記ファンモータ周辺を流れる空気を作り出し、ファンモータを冷却し、ファンモータの高効率化が得られる。
【発明の効果】
【００１４】
上記から明らかなように、本発明は、天井内に埋設された空気調和機であって、前面の中央に吸い込み口を有しその周囲に吹き出し口を有し、これら前記吸い込み口と前記吹き出し口とを結ぶ空気通路に前記吹き出し口を臨ませて上下に配置されたファンモータおよびターボファンからなる送風機と前記ターボファンの周囲に熱交換器とを設けてなるものにおいて、前記ターボファンはファンモータ周辺側のハブ面に複数の羽根を設けたことを特徴とする空気調和機で、この構成によれば、ターボファンにおけるファンモータ側のハブに設けられた羽根によって、強制的にファンモータ周辺を流れる空気を作り出し、ファンモータを冷却し、ファンモータの高効率化が得られるという効果を奏する。
【発明を実施するための最良の形態】
【００１５】
以下本発明の実施の形態について図面を参照して説明する。
【００１６】
（実施の形態１）
図１において、天井内に埋設されるケース本体１、前記ケース本体１の底面開口部２に装着され、中央にベルマウス３からなる吸い込み口４を有し、その周囲に吹き出し口５を有した化粧パネル６、これら吸い込み口４と吹き出し口５とを結ぶ空気通路に設けられ、前記吹き出し口５を臨ませて上下に配置されたファンモータ７およびターボファン８からなる送風機１５が設けられている。
【００１７】
また、前記送風機１５の周囲には熱交換器１４が配置されており、そして
前記ターボファン８はシュラウド９と外壁部としてのハブ１０との間にはブレード１１が保持されてなっており、前記ハブ１０の中心部がケース本体１の中央部に配設されたファンモータ６の駆動軸下端部に直結されており、またこのターボファン７のハブ１０には該ハブ１０同心円上の数カ所に排熱口１２が形成されている。
【００１８】
また、本例の特徴の１つとして前記ターボファン８においてファンモータ７周辺側のハブ１０面に複数の羽根１３を設けている。
【００１９】
前記ファンモータ７の駆動に伴う前記ターボファン８のブレード１１の回転によって、図１で示す破線矢印のように前記吸い込み口４から前記ベルマウス３  に案内された吸い込み空気が前記ターボファン８に吸入され、吸い込まれた空気は径方向外側に吹き出すようになっており、その後、熱交換器１４により熱交換されて前記吹き出し口５に送出されるようにした構成となっている。また、ターボファン８より空気が吹き出された際、空気の一部は図１の実線に示すように前記ターボファン８のファンモータ７側のハブ１０面に設けられた羽根１３によって強制的にターボファンの主板の上側を通る反転した流れがつくられ、羽根１３を通過しながらファンモータ７を冷却することによって温度上昇された後、前記ハブ１０に形成された排熱口１２から空気通路内に戻り、この空気通路内を流通している空気と合流される。
【００２０】
前記ターボファン８のファンモータ側のハブ１０面に設けられた羽根１３によって強制的にファンモータ７をさらに冷却することによってファンモータ７の効率を向上させることができる。
【００２１】
（実施の形態２）
図１のターボファン８において、ファンモータ側のハブ１０面に設けられた羽根１３はターボファン８の主板と一体成型された形となっており、安価なターボファンを実現することができる。
【００２２】
（実施の形態３）
図１のターボファン８において、ファンモータ側のハブ１０面に設けられた羽根１３は曲面形状になっており、それにより、空気を更に効率よくファンモータ７の周辺へ導き、冷却作用を向上させることができる。
【００２３】
（実施の形態４）
図１のターボファン８において、ファンモータ側のハブ１０面に設けられた羽根１３の端面をのこぎり状に加工することによって空気の流れを乱流化し、ファンモータ７の冷却を更に促進することができる。
【００２４】
（実施の形態５）
図１のターボファン８において、ハブ１０に形成されている複数の排熱口１２とファンモータ側のハブ１０面に設けられた羽根１３の位置が軸方向で合うように形成されることにより、ファンモータ７から排熱口１２へ流れる衝突や損失の少ない空気のながれを実現することができる。
【図面の簡単な説明】
【００２５】
【図１】本発明の実施形態を示す空気調和機の断面図
【図２】従来の空気調和機の断面図
【図３】図２における従来のターボファンの送風機の断面図
【図４】別の従来の空気調和機の断面図
【符号の説明】
【００２６】
１  本体ケース
７  ファンモータ
８  ターボファン
９  シュラウド
１０  ハブ
１１  ブレード
１２  排熱口
１３  羽根
１４  熱交換器
【図１】
2005098570.tif 000003
【図２】
2005098570.tif 000004
【図３】
2005098570.tif 000005
【図４】
2005098570.tif 000006